(57)【要約】【課題】どのような相手とつながっているかを知ることができるようにする。【解決手段】端末装置１０Ｂは、周囲にいる妻が発した音声を表す音声情報を解析装置２０へ送信する。解析装置２０は、端末装置１０Ｂから送られた音声情報に基づいて妻の声紋を特定する。解析装置２０は、特定した声紋と一致する声紋データに対応付けられている妻のユーザ識別子を端末装置１０Ａへ送信する。端末装置１０Ａは、送信された妻のユーザ識別子に対応付けて記憶している制御情報を取得する。端末装置１０Ａは、取得した制御情報に基づいて発光および伸縮を行う。【選択図】図１
2018133661.tif 000002
【特許請求の範囲】
【請求項１】
少なくとも、変形、発光、音の出力のいずれかを行う動作部と、
センサと、
提供される情報に応じて前記動作部を動作させる制御部と、
前記センサの出力に基づいて、自装置の周囲にいるユーザを特定する特定部と、
前記特定部が特定したユーザに応じた情報を通信先の端末装置へ提供する提供部
を備える端末装置。
【請求項２】
前記センサは、周囲の音を検知し、
前記制御部は、前記センサが予め定められた音を検知した場合、前記動作部の動作を停止させる
請求項１に記載の端末装置。
【請求項３】
前記センサにより周囲の状態を特定し、特定した前記状態と前記通信先の端末装置が特定した周囲の状態が予め定められた関係である場合、前記制御部は、予め定められた動作を行うように前記動作部を制御する
請求項１または請求項２に記載の端末装置。
【請求項４】
ユーザの予め定められた操作を前記センサの検知結果に基づいて特定した場合、周囲の状態を要求するメッセージを送信する要求部と、
前記通信先の端末装置から送信されたメッセージを取得し、取得したメッセージに応じて周囲の状態を前記センサで検知する検知部を有し、
前記提供部は、前記検知部が検知した状態を表す状態情報を、前記取得したメッセージを送信した端末装置へ送信し、
前記制御部は、前記通信先の端末装置から送信された状態情報を取得し、取得した状態情報に応じて前記動作部を動作させる
請求項１から請求項３のいずれか一項に記載の端末装置。
【請求項５】
プロファイルを記憶する記憶部を有し、
前記提供部は、前記通信先の端末装置へ提供する情報を前記プロファイルに応じて制御する
請求項１から請求項４のいずれか一項に記載の端末装置。
【請求項６】
前記通信先の端末装置は、複数の端末装置である
請求項１から請求項５のいずれか一項に記載の端末装置。
【請求項７】
少なくとも、変形、発光、音の出力のいずれかを行う動作部と、センサを有する端末装置のコンピュータを、
提供される情報に応じて前記動作部を動作させる制御部と、
前記センサの出力に基づいて、当該端末装置の周囲にいるユーザを特定する特定部と、
前記特定部が特定したユーザに応じた情報を通信先の端末装置へ提供する提供部
として機能させるためのプログラム。
【請求項８】
少なくとも、変形、発光、音の出力のいずれかを行う動作部と、
センサと、
前記センサの出力を表す情報または当該出力に基づく情報を送信する送信部と、
提供される情報に応じて前記動作部を動作させる制御部
を有する複数の端末装置と、
前記送信部が送信した情報に基づいて、当該情報を送信した第１の前記端末装置の周囲にいるユーザを特定する特定部と、
前記特定部が特定したユーザに応じた情報を第２の端末装置へ提供する提供部
を備える通信システム。
【請求項９】
第１の端末装置が送信した情報に基づいて、前記第１の端末装置の周囲にいるユーザを特定する特定部と、
前記特定部が特定したユーザに応じた情報を第２の端末装置へ提供する提供部
を備える解析装置。
【発明の詳細な説明】
【技術分野】
【０００１】
本発明は、端末装置、プログラム、通信システムおよび解析装置に関する。
【背景技術】
【０００２】
特許文献１（特開２００２−３１４７０号公報）には、通信端末同士が通信を行い、ユーザの移動やユーザの通信端末への接触に応じて、通信相手の通信端末がＬＥＤの発光や、光ファイバの駆動を行う通信システムが開示されている。このシステムによれば、通信相手の状況を間接的に知ることができ、通信相手とのつながりを実感できる。
【先行技術文献】
【特許文献】
【０００３】
【特許文献１】特開２００２−３１４７０号公報
【発明の概要】
【発明が解決しようとする課題】
【０００４】
通信端末が設置された場所に複数人が住んでいる場合、通信端末は、近くを移動した者や接触した者を検知する。しかしながら、特許文献１のシステムでは、複数人のうちの誰が通信端末の近くを移動し、誰が通信端末に触れたのかを知ることができず、どのような相手とつながっているのかを実感することができない。
【０００５】
本発明は、どのような相手とつながっているかを知ることができる技術を提供することを目的とする。
【課題を解決するための手段】
【０００６】
本発明は、少なくとも、変形、発光、音の出力のいずれかを行う動作部と、センサと、提供される情報に応じて前記動作部を動作させる制御部と、前記センサの出力に基づいて、自装置の周囲にいるユーザを特定する特定部と、前記特定部が特定したユーザに応じた情報を通信先の端末装置へ提供する提供部を備える端末装置を提供する。
【０００７】
本発明においては、前記センサは、周囲の音を検知し、前記制御部は、前記センサが予め定められた音を検知した場合、前記動作部の動作を停止させる構成としてもよい。
【０００８】
また、本発明においては、端末装置は、前記センサにより周囲の状態を特定し、特定した前記状態と前記通信先の端末装置が特定した周囲の状態が予め定められた関係である場合、前記制御部は、予め定められた動作を行うように前記動作部を制御する構成としてもよい。
【０００９】
また、本発明においては、ユーザの予め定められた操作を前記センサの検知結果に基づいて特定した場合、周囲の状態を要求するメッセージを送信する要求部と、前記通信先の端末装置から送信されたメッセージを取得し、取得したメッセージに応じて周囲の状態を前記センサで検知する検知部を有し、前記提供部は、前記検知部が検知した状態を表す状態情報を、前記取得したメッセージを送信した端末装置へ送信し、前記制御部は、前記通信先の端末装置から送信された状態情報を取得し、取得した状態情報に応じて前記動作部を動作させる構成としてもよい。
【００１０】
また、本発明においては、端末装置は、プロファイルを記憶する記憶部を有し、前記提供部は、前記通信先の端末装置へ提供する情報を前記プロファイルに応じて制御する構成としてもよい。
【００１１】
また、本発明においては、前記通信先の端末装置は、複数の端末装置である構成としてもよい。
【００１２】
また、本発明は、少なくとも、変形、発光、音の出力のいずれかを行う動作部と、センサを有する端末装置のコンピュータを、提供される情報に応じて前記動作部を動作させる制御部と、前記センサの出力に基づいて、当該端末装置の周囲にいるユーザを特定する特定部と、前記特定部が特定したユーザに応じた情報を通信先の端末装置へ提供する提供部として機能させるためのプログラムを提供する。
【００１３】
また、本発明は、少なくとも、変形、発光、音の出力のいずれかを行う動作部と、センサと、前記センサの出力を表す情報または当該出力に基づく情報を送信する送信部と、提供される情報に応じて前記動作部を動作させる制御部を有する複数の端末装置と、前記送信部が送信した情報に基づいて、当該情報を送信した第１の前記端末装置の周囲にいるユーザを特定する特定部と、前記特定部が特定したユーザに応じた情報を第２の端末装置へ提供する提供部を備える通信システムを提供する。
【００１４】
また、本発明は、第１の端末装置が送信した情報に基づいて、前記第１の端末装置の周囲にいるユーザを特定する特定部と、前記特定部が特定したユーザに応じた情報を第２の端末装置へ提供する提供部を備える解析装置を提供する。
【発明の効果】
【００１５】
本発明によれば、どのような相手とつながっているかを知ることができる。
【図面の簡単な説明】
【００１６】
【図１】本発明の一実施形態に係る通信システム１に含まれる装置を示した図。
【図２】端末装置１０のハードウェア構成を示した図。
【図３】端末装置１０の機能ブロック図。
【図４】解析装置２０のハードウェア構成を示した図。
【図５】解析装置２０の機能ブロック図。
【図６】実施形態の動作の一例を説明するためのシーケンス図。
【図７】実施形態の動作の一例を説明するためのシーケンス図。
【発明を実施するための形態】
【００１７】
［全体構成］
図１は、本発明の一実施形態に係る通信システム１に含まれる装置を示した図である。通信網２は、インターネットや固定電話網、音声通信やデータ通信などの通信サービスを提供する移動体通信網などを含む。通信網２には、端末装置１０Ａ、１０Ｂが有線または無線によって接続される。
【００１８】
端末装置１０Ａ、１０Ｂは、中空な５角柱の形状をした通信端末である。端末装置１０Ａと端末装置１０Ｂは、離れた場所にいるユーザ同士がコミュニケーションをとるときに使用される。例えば、端末装置１０Ａは、単身赴任の夫が住む家に配置され、端末装置１０Ｂは、端末装置１０Ａのユーザの妻と子供が住む家に配置される。
【００１９】
端末装置１０Ａと端末装置１０Ｂは、同じ構成であるため、以下、各々を区別する必要がない場合は、端末装置１０と称する。通信網２に接続される端末装置１０の数は、図１に示した数に限定されるものではなく、図１に示した数以上の装置を接続することもできる。端末装置１０の筐体は、例えば白色のシリコンなどの変形可能な素材となっている。端末装置１０は、筐体を変形させるアクチュエータを筐体内部に備えており、アクチュエータの変形に応じて変形する。なお、端末装置１０は、図示した形状に限定されるものではなく、他の形状であってもよい。端末装置１０Ａと端末装置１０Ｂは、通信網２を介して通信を行い、音声通信やデータ通信を行う。また、端末装置１０は、通信網２を介して解析装置２０と通信を行う。
【００２０】
解析装置２０は、端末装置１０の周囲にいるユーザを特定する機能を有する装置である。解析装置２０は、互いに通信を行う端末装置１０Ａと端末装置１０Ｂの一方から送られる情報を解析し、端末装置１０の周囲にいるユーザを特定する。解析装置２０は、特定したユーザを表す情報を他方の端末装置１０へ送信する。
【００２１】
（端末装置１０の構成）
図２は、端末装置１０のハードウェア構成の一例を示した図である。なお、端末装置１０Ａ、１０Ｂのハードウェア構成は同じであるが、以下、端末装置１０Ａ、１０Ｂの各部を区別する必要がある場合、説明の便宜上、端末装置１０Ａ、１０Ｂの符号の末尾のアルファベットを各部の符号の末尾に付加して説明を行い、各部を区別する必要がない場合、符号の末尾へのアルファベットの付加を省略して説明を行う。例えば、端末装置１０Ａの各部を端末装置１０Ｂの各部と区別する場合、端末装置１０Ａの各部の符号の末尾には「Ａ」を付ける。
【００２２】
通信部１０５は、無線または有線で通信網２に接続され、通信網２を介して通信を行う通信インターフェースとして機能する。通信部１０５は、通信網２を介して音声通信やデータ通信を行う。また、通信部１０５は、Bluetooth（登録商標）や無線ＬＡＮの通信などの近距離無線通信機能を有する。
【００２３】
発光部１０３は、ＬＥＤ（Light Emitting Diode）を有しており、制御部１０１からの信号に応じて点灯する。発光部１０３は、筐体内部に設けられている。アクチュエータ１０４は、通電により変形する形状記憶合金を有する。アクチュエータ１０４は、端末装置１０の筐体内部に設けられており、制御部１０１からの通電に応じて変形する。アクチュエータ１０４が変形することにより、端末装置１０の筐体が変形する。
【００２４】
音声処理部１０７は、マイクロフォンとスピーカを有している。音声処理部１０７は、端末装置１０が音声通話を行う場合、通話相手の音声に係るデジタル信号が通信部１０５から供給されると、供給されたデジタル信号をアナログ信号に変換する。このアナログ信号は、スピーカへ供給され、スピーカからは、通話相手の音声が出力される。また、音声処理部１０７は、マイクロフォンに入力された音声をデジタル信号に変換し、このデジタル信号を通信部１０５へ供給する。このデジタル信号は、通信部１０５から通信網２へ送信され、通話相手の端末装置１０へ送信される。発光部１０３、アクチュエータ１０４、音声処理部１０７の各々は、本発明に係る動作部の一例である。
【００２５】
センサ部１０８は、各種センサを備える。本実施形態においては、センサ部１０８は、音センサ、振動センサ、温度センサ、照度センサおよび人感センサを有する。音センサは、音や音声を検知し、検知した音や音声を表す信号を制御部１０１へ出力する。振動センサは、端末装置１０の振動を検知し、検知した振動を表す信号を制御部１０１へ出力する。人感センサは、人間の存在を検知する。人感センサは、人間を検知すると、人間を検知したことを表す信号を制御部１０１へ出力する。温度センサは、端末装置１０の周囲の温度を検知し、検知した温度を表す信号を制御部１０１へ出力する。照度センサは、端末装置１０の周囲の照度を検知し、検知した照度を表す信号を制御部１０１へ出力する。
【００２６】
記憶部１０２は、不揮発性メモリを有しており、制御部１０１が実行するプログラムを記憶している。また、記憶部１０２は、発光部１０３およびアクチュエータ１０４を制御するための制御情報を記憶する。制御情報は、通信相手となる端末装置１０のユーザに対応付けて記憶する。例えば、記憶部１０２Ａは、端末装置１０Ｂのユーザとなる妻を表すユーザ識別子に対応付けて第１の制御情報を記憶し、端末装置１０Ｂのユーザとなる子供を表すユーザ識別子に対応付けて第２の制御情報を記憶する。また、記憶部１０２Ａは、妻を表すユーザ識別子と子供を表すユーザ識別子の組に対応付けて第３の制御情報を記憶する。
【００２７】
第１の制御情報は、アクチュエータ１０４を第１の周期で所定期間伸縮させ、発光部１０３をピンク色で第１の周期で点滅させることを表す情報である。第２の制御情報は、アクチュエータ１０４を第１の周期とは異なる第２の周期で所定期間伸縮させ、発光部１０３をオレンジ色で第２の周期で点滅させることを表す情報である。第３の制御情報は、アクチュエータ１０４を第１の周期および第２の周期とは異なる第３の周期で所定期間伸縮させ、発光部１０３を緑色で第３の周期で点滅させることを表す情報である。
【００２８】
記憶部１０２Ｂは、端末装置１０Ａのユーザとなる夫を表すユーザ識別子に対応付けて第４の制御情報を記憶する。第４の制御情報は、アクチュエータ１０４を第４の周期で所定期間伸縮させ、発光部１０３を青色で第４の周期で点滅させることを表す情報である。なお、第１の制御情報から第４の制御情報は、予め定められた周期だけでなく、予め定められた特定のパターンまたはリズムでアクチュエータの伸縮および発光部１０３の点滅を制御する情報であってもよい。
【００２９】
また、記憶部１０２は、通信相手となる端末装置１０の装置識別子を記憶する。本実施形態の場合、端末装置１０Ａと端末装置１０Ｂが通信を行うため、記憶部１０２Ａは、通信相手となる装置の装置識別子として端末装置１０Ｂの装置識別子を記憶し、記憶部１０２Ｂは、通信相手となる装置の装置識別子として端末装置１０Ｂの装置識別子を記憶する。
【００３０】
制御部１０１は、ＣＰＵ（Central Processing Unit）、ＲＡＭ（Random Access Memory）およびメモリを有している。端末装置１０において実現する機能は、ＣＰＵ、ＲＡＭなどのハードウェア上に、記憶部１０２に記憶されているプログラム（ソフトウェア）を読み込ませることで、ＣＰＵが演算を行い、通信部１０５による通信や、ＲＡＭおよび記憶部１０２におけるデータの読み出しおよび／または書き込みを制御することで実現される。
【００３１】
図３は、制御部１０１が記憶部１０２に記憶されているプログラムを実行することにより実現する機能のうち、本発明に係る機能の構成を示した機能ブロック図である。取得部１００２は、解析装置２０または他の端末装置１０から送信される情報を取得する。検知部１００４は、他の端末装置１０から送信されたメッセージを取得し、取得したメッセージに応じて周囲の状態をセンサで検知する。取得部１００２は、本発明に係る検知部の一例である。要求部１００５は、ユーザの予め定められた操作を前記センサの検知結果に基づいて特定した場合、周囲の状態を要求するメッセージを、送信部１００１を介して送信する。要求部１００５は、本発明に係る要求部の一例である。送信部１００１は、センサ部１０８が出力した信号や、センサ部１０８が出力した信号に基づいて生成された情報を解析装置２０または他の端末装置１０へ送信する。また、送信部１００１は、検知部１００４が特定した状態を表す情報を、他の端末装置１０へ送信する。また、送信部１００１は、要求部１００５から供給されるメッセージを他の端末装置１０へ送信する。動作制御部１００３は、取得部１００２が取得した情報に基づいて、発光部１０３、アクチュエータ１０４を制御する。また、動作制御部１００３は、取得部１００２が取得した情報に基づいて記憶部１０２から制御情報を取得し、取得した制御情報に基づいて発光部１０３、アクチュエータ１０４を制御する。
【００３２】
（解析装置２０の構成）
図４は、解析装置２０のハードウェア構成を示した図である。通信部２０５は、有線または無線で通信網２に接続されており、通信網２を介してデータ通信を行う通信インターフェースとして機能する。通信部２０５は、通信網２を介して端末装置１０と通信を行う。
【００３３】
記憶部２０２は、ハードディスク装置を有しており、オペレーティングシステムのプログラムや、アプリケーションプログラムなどを記憶している。本実施形態においては、記憶部２０２は、互いに通信を行う一方の端末装置１０から送られるデータ、情報、信号を解析して端末装置１０の周囲にいるユーザを特定する機能や、特定したユーザを表すデータを他方の端末装置１０へ送信する機能などを実現するアプリケーションプログラムを記憶している。
【００３４】
また、記憶部２０２は、端末装置１０を識別する装置識別子、端末装置１０の予め定められたユーザを識別するユーザ識別子、端末装置１０の予め定められたユーザの声紋を表す声紋データを対応付けて記憶する。具体的には、記憶部２０２は、端末装置１０Ａの装置識別子、端末装置１０Ａのユーザである夫を識別するユーザ識別子および端末装置１０Ａのユーザである夫の声紋データを対応付けて記憶する。また、記憶部２０２は、端末装置１０Ｂの装置識別子、端末装置１０Ｂのユーザである妻のユーザ識別子および妻の声紋データと対応付けて記憶し、端末装置１０Ｂの装置識別子、端末装置１０Ｂのユーザである子供のユーザ識別子および子供の声紋データと対応付けて記憶する。
【００３５】
また、記憶部２０２は、互いに通信を行う端末装置１０の装置識別子を対応付けて記憶する。本実施形態の場合、端末装置１０Ａと端末装置１０Ｂが通信を行うため、記憶部２０２には、端末装置１０Ａの装置識別子と端末装置１０Ｂの装置識別子が対応付けて記憶される。
【００３６】
制御部２０１は、ＣＰＵ、ブートローダを記憶したＲＯＭおよびＲＡＭを有している。ＣＰＵが記憶部２０２に記憶されているオペレーティングシステムのプログラムを実行すると、アプリケーションプログラムを実行することが可能となる。ＣＰＵがアプリケーションプログラムを実行すると、解析装置２０は、互いに通信を行う一方の端末装置１０から送られる情報を解析して端末装置１０の周囲にいるユーザを特定し、特定したユーザを表すデータを他方の端末装置１０へ送信する。
【００３７】
図５は、解析装置２０において実現する機能のうち、本発明に係る機能の構成を示したブロック図である。特定部２００１は、端末装置１０から送られる情報を取得し、取得した情報に基づいて、送られた情報を送信した端末装置１０の周囲にいるユーザを特定する。ユーザを特定するとは、個人を特定することだけでなく、人数、性別、属性を特定することも含む。提供部２００２は、特定部２００１が特定したユーザに応じた情報を、端末装置１０へ提供する。
【００３８】
（動作例）
次に本実施形態の動作例について説明する。妻が端末装置１０Ｂに近づくと、センサ部１０８Ｂの人感センサは人間を検知したことを表す信号を制御部１０１Ｂへ出力する。制御部１０１Ｂは、人感センサから出力された信号を取得すると、端末装置１０Ｂの装置識別子と、端末装置１０Ｂの周囲にユーザがいることを表す情報を、通信部１０５Ｂを制御して端末装置１０Ａへ送信する（図６：ステップＳ１）。
【００３９】
通信部１０５Ａは、ステップＳ１で端末装置１０Ｂから送信された情報を取得する。制御部１０１Ａは、装置識別子と、端末装置１０Ｂの周囲にユーザがいることを表す情報を取得すると、取得した装置識別子が予め定められた通信相手の端末装置１０の装置識別子であるか判定する（ステップＳ２）。具体的には、制御部１０１Ａは、記憶部１０２Ａにおいて通信相手の装置識別子として記憶されている装置識別子と、取得した装置識別子を比較する。制御部１０１Ａは、記憶部１０２Ａにおいて通信相手の装置識別子として記憶されている装置識別子と、取得した装置識別子が一致した場合、発光部１０３Ａを制御する（ステップＳ３）。ここで制御部１０１Ａは、例えば、発光部１０３Ａの白色のＬＥＤを点灯させる。これにより、端末装置１０Ａの筐体は白色で発光し、端末装置１０Ａのユーザは、端末装置１０Ｂの近くに妻または子供がいることがわかる。
【００４０】
次に妻の声をセンサ部１０８Ｂの音センサが検知すると（ステップＳ４）、音センサは、検知した声を表す信号を制御部１０１Ｂへ出力する。制御部１０１Ｂは、音センサから出力された信号を取得すると、取得した情報をデジタル化した音声情報を生成する。制御部１０１Ｂは、端末装置１０Ｂの装置識別子と、生成した音声情報を解析装置２０へ送信する（ステップＳ５）。
【００４１】
通信部２０５は、ステップＳ５で端末装置１０Ｂから送信された装置識別子と音声情報を取得する。制御部２０１は、通信部２０５が取得した装置識別子に対応付けて記憶されている声紋データを取得する。通信部２０５が取得した端末装置１０Ｂの装置識別子には、端末装置１０Ｂのユーザである妻の声紋データと子供の声紋データが対応付けられているため、制御部２０１は、妻の声紋データと子供の声紋データを記憶部２０２から取得する（ステップＳ６）。
【００４２】
次に制御部２０１は、取得した音声情報に対応するユーザを特定する（ステップＳ７）。具体的には、制御部２０１は、通信部２０５が取得した音声情報が表す音声の声紋を解析し、解析で得られた声紋と、記憶部２０２から取得した声紋データとを比較する。ここで解析により得られる声紋は、妻の声紋であり、解析により得られた声紋は、妻の声紋データが表す声紋と一致するため、制御部２０１は、取得した音声情報に対応するユーザ、即ち、端末装置１０Ｂの周囲にいるユーザ（端末装置１０Ａのユーザの通信相手）は妻であると特定する。次に制御部２０１は、解析により得られた声紋と一致した声紋データに対応付けて記憶されている妻のユーザ識別子を記憶部２０２から取得する。
【００４３】
制御部２０１は、通信部２０５が取得した装置識別子と、記憶部２０２から取得した妻のユーザ識別子の組を、通信部２０５を制御して送信する（ステップＳ８）。ここで、制御部２０１は、記憶部２０２においては、通信部２０５が取得した端末装置１０Ｂの装置識別子に対応付けて端末装置１０Ａの装置識別子が記憶されているため、装置識別子およびユーザ識別子の送信先を端末装置１０Ａとする。
【００４４】
通信部１０５Ａは、ステップＳ８で解析装置２０から送信された装置識別子およびユーザ識別子を取得する。制御部１０１Ａは、ステップＳ２と同様に、取得した装置識別子が予め定められた通信相手の端末装置１０の装置識別子であるか判定する（ステップＳ９）。
【００４５】
取得した端末装置１０Ｂの装置識別子は、記憶部１０２Ａに記憶されているため、制御部１０１Ａは、取得した装置識別子が予め定められた通信相手の端末装置１０の装置識別子であると判定する。制御部１０１Ａは、取得した装置識別子が予め定められた通信相手の端末装置１０の装置識別子である場合、取得したユーザ識別子に対応付けて記憶されている制御情報を記憶部１０２Ａから取得する（ステップＳ１０）。ここで取得したユーザ識別子は妻のユーザ識別子であるため、制御部１０１Ａは、記憶部１０２Ａにおいて妻のユーザ識別子に対応付けて記憶されている第１の制御情報を取得する。
【００４６】
制御部１０１Ａは、第１の制御情報を取得すると、第１の制御情報に基づいて発光部１０３Ａとアクチュエータ１０４Ａを制御する（ステップＳ１１）。ここで、制御部１０１Ａは、第１の周期でピンク色に点滅するように発光部１０３Ａを制御し、第１の周期で伸縮するようにアクチュエータ１０４Ａを制御する。アクチュエータ１０４Ａが第１の周期で伸縮するため、端末装置１０Ａの筐体が第１の周期で伸縮する。端末装置１０Ａのユーザである夫は、端末装置１０Ａが第１の周期でピンク色に点滅し、第１の周期で伸縮することにより、端末装置１０Ｂの近くに妻がいることがわかる。
【００４７】
次に、妻と子供が端末装置１０Ｂの近くで会話をしたときの動作例について説明する。妻と子供が会話を行うと、妻の声と子供の声をセンサ部１０８Ｂの音センサが検知する（ステップＳ２１）。音センサは、検知した音声を表す信号を制御部１０１Ｂへ出力する。制御部１０１Ｂは、音センサから出力された信号を取得すると、妻の声の音声情報と子供の声の音声情報を生成する。制御部１０１Ｂは、端末装置１０Ｂの装置識別子と、生成した音声情報を解析装置２０へ送信する（ステップＳ２２）。
【００４８】
通信部２０５は、ステップＳ２２で端末装置１０Ｂから送信された装置識別子と音声情報を取得する。制御部２０１は、通信部２０５が取得した装置識別子に対応付けて記憶されている声紋データを取得する。通信部２０５が取得した端末装置１０Ｂの装置識別子には、端末装置１０Ｂのユーザである妻の声紋データと子供の声紋データが対応付けられているため、制御部２０１は、妻の声紋データと子供の声紋データを記憶部２０２から取得する（ステップＳ２３）。
【００４９】
次に制御部２０１は、取得した音声情報に対応するユーザを特定する（ステップＳ２４）。ここで制御部２０１は、通信部２０５が取得した音声情報が表す音声の声紋を解析し、解析で得られた声紋と、記憶部２０２から取得した声紋データとを比較する。ここで解析により得られる声紋は、妻の声紋と子供の声紋であり、解析により得られた妻の声紋は、妻の声紋データが表す声紋と一致し、解析により得られた子供の声紋は、子供の声紋データが表す声紋と一致するため、制御部２０１は、取得した音声情報に対応するユーザ、即ち、端末装置１０Ｂの周囲にいるユーザ（端末装置１０Ａのユーザの通信相手）は、妻と子供であると特定する。次に制御部２０１は、解析により得られた声紋と一致した声紋データに対応付けて記憶されている妻のユーザ識別子と子供のユーザ識別子を記憶部２０２から取得する。
【００５０】
制御部２０１は、通信部２０５が取得した装置識別子、記憶部２０２から取得した妻のユーザ識別子および記憶部２０２から取得した子供のユーザ識別子を、通信部２０５を制御して送信する（ステップＳ２５）。ここで、記憶部２０２においては、通信部２０５が取得した端末装置１０Ｂの装置識別子に対応付けて端末装置１０Ａの装置識別子が記憶されているため、制御部２０１は、装置識別子およびユーザ識別子の送信先を端末装置１０Ａとする。
【００５１】
通信部１０５Ａは、ステップＳ２５で解析装置２０から送信された装置識別子およびユーザ識別子を取得する。制御部１０１Ａは、ステップＳ２と同様に、取得した装置識別子が予め定められた通信相手の端末装置１０の装置識別子であるか判定する（ステップＳ２６）。
【００５２】
取得した端末装置１０Ｂの装置識別子は、記憶部１０２Ａに記憶されているため、制御部１０１Ａは、取得した装置識別子が予め定められた通信相手の端末装置１０の装置識別子であると判定する。制御部１０１Ａは、取得した装置識別子が予め定められた通信相手の端末装置１０の装置識別子である場合、取得したユーザ識別子に対応付けて記憶されている制御情報を記憶部１０２Ａから取得する（ステップＳ２７）。ここで取得したユーザ識別子は、妻のユーザ識別子と子供のユーザ識別子の組であるため、制御部１０１Ａは、記憶部１０２Ａにおいて妻のユーザ識別子と子供のユーザ識別子の組に対応付けて記憶されている第３の制御情報を取得する。
【００５３】
制御部１０１Ａは、第３の制御情報を取得すると、第３の制御情報に基づいて発光部１０３Ａとアクチュエータ１０４Ａを制御する（ステップＳ２８）。ここで、制御部１０１Ａは、第３の周期で緑色に点滅するように発光部１０３Ａを制御し、第３の周期で伸縮するようにアクチュエータ１０４Ａを制御する。アクチュエータ１０４Ａが第３の周期で伸縮するため、端末装置１０Ａの筐体が第３の周期で伸縮する。端末装置１０Ａのユーザである夫は、端末装置１０Ａが第３の周期で緑色に点滅し、第３の周期で伸縮することにより、端末装置１０Ｂの近くに妻と子供がいることがわかる。
【００５４】
なお、端末装置１０Ａにユーザである夫が近づいた場合は、端末装置１０Ａの装置識別子と、端末装置１０Ａの周囲にユーザがいることを表す情報が端末装置１０Ａから端末装置１０Ｂへ送信され、端末装置１０Ｂは、発光部１０３Ｂの白色のＬＥＤを点灯させる。これにより、端末装置１０Ｂのユーザは、端末装置１０Ａの人間がいることがわかる。
【００５５】
また、端末装置１０Ａの近くで夫が声を発すると、端末装置１０Ａの装置識別子と夫の音声情報が解析装置２０へ送られる。解析装置２０は、端末装置１０Ａから送られた音声情報を解析して夫の声紋を特定し、夫の声紋データに対応付けられている夫のユーザ識別子を取得する。解析装置２０は、端末装置１０Ａの装置識別子と、夫の声紋データに対応付けられている夫のユーザ識別子を端末装置１０Ｂへ送信する。端末装置１０Ｂは、夫のユーザ識別子に対応付けて記憶されている第４の制御情報に基づいて発光部１０３Ｂとアクチュエータ１０４Ｂを制御する。これにより、発光部１０３Ｂが青色で第４の周期で点滅し、筐体が第４の周期で伸縮するため、端末装置１０Ｂのユーザは、端末装置１０Ａの近くに夫がいることがわかる。
【００５６】
また、端末装置１０Ｂの近くで子供が声を発すると、端末装置１０Ｂの装置識別子と子供の音声情報が解析装置２０へ送られる。解析装置２０は、端末装置１０Ｂから送られた音声情報を解析して子供の声紋を特定し、子供の声紋データに対応付けられている子供のユーザ識別子を取得する。解析装置２０は、端末装置１０Ｂの装置識別子と、子供の声紋データに対応付けられている子供のユーザ識別子を端末装置１０Ａへ送信する。端末装置１０Ａは、子供のユーザ識別子に対応付けて記憶されている第２の制御情報に基づいて発光部１０３Ａとアクチュエータ１０４Ａを制御する。これにより、発光部１０３Ａがオレンジ色で第２の周期で点滅し、筐体が第２の周期で伸縮するため、端末装置１０Ａのユーザは、端末装置１０Ｂの近くに子供がいることがわかる。
【００５７】
以上説明したように、本実施形態によれば、コミュニケーションの相手の通信端末の周囲に誰がいるかがわかるため、どのような相手とつながっているかを知ることができる。
【００５８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００５９】
本発明においては、解析装置２０は、端末装置１０か送られた音声情報が表す音声の意味を解析し、解析結果を表す意味情報を通信相手の端末装置１０へ送信し、意味情報を受信した端末装置１０は、送信された意味情報に応じた動作を行う構成であってもよい。
例えば、端末装置１０Ａの近くで夫が「ただいま」と言った場合、端末装置１０Ａの装置識別子と夫の音声情報が解析装置２０へ送られる。解析装置２０は、端末装置１０Ａから送られた音声情報を解析して夫の声紋を特定し、夫の声紋データに対応付けられている夫のユーザ識別子を取得する。また、解析装置２０は、音声情報が表す音声を解析し、音声の意味が帰宅時の挨拶であることを特定する。解析装置２０は、端末装置１０Ａの装置識別子、夫の声紋データに対応付けられている夫のユーザ識別子、および帰宅時の挨拶を表す意味情報を端末装置１０Ｂへ送信する。端末装置１０Ｂは、夫のユーザ識別子に対応付けて記憶されている制御情報のうち、帰宅時の挨拶を表す意味情報に対応付けられている制御情報を記憶部１０２Ｂから取得する。端末装置１０Ｂは、取得した制御情報に基づいて発光部１０３Ｂとアクチュエータ１０４Ｂを制御する。これにより、発光部１０３Ｂが制御情報に応じた色および周期で点滅し、筐体が制御情報に応じた周期で伸縮するため、端末装置１０Ｂのユーザは、夫が帰宅したことがわかる。
【００６０】
上述した実施形態においては、端末装置１０から解析装置２０へ音声情報を送信し、解析装置２０は、送信された音声情報に基づいてユーザの声紋を解析しているが、ユーザの声紋を解析する構成は、実施形態の構成に限定されるものではない。例えば、端末装置１０がユーザの音声の声紋を解析し、解析により得られた声紋を表す声紋データを解析装置２０へ送信する構成としてもよい。この構成においては、解析装置２０は、端末装置１０から送信された声紋データと、予め記憶している声紋データとを比較し、端末装置１０の周囲にいるユーザを特定する。
【００６１】
上述した実施形態においては、制御部２０１は、声紋を用いてユーザを特定しているが、ユーザを特定するための情報は、声紋に限定されるものではなく、他の情報であってもよい。例えば、周知の音声認識技術を用い、声紋データに替えてユーザの音声の特徴量を用いてユーザを特定するようにしてもよい。この構成においては、特徴量を端末装置１０で解析してもよく、また、特徴量を解析装置２０で解析してもよい。
【００６２】
端末装置１０は、予め定められたユーザの音声以外の音声を検知した場合、通信相手の端末装置１０から送られる情報や解析装置２０から送られる情報を受信しても発光部１０３やアクチュエータ１０４を制御しないようにしてもよい。例えば、端末装置１０Ａは、音センサが、ユーザである夫の音声とは異なるテレビの音声やラジオの音声を検知している場合、ステップＳ１で送られた情報を取得しても、ステップＳ３の動作を行わない。また、端末装置１０Ａは、ＴＶの音声やラジオの音声を検知している場合、ステップＳ８で送られた情報を取得しても、発光部１０３とアクチュエータ１０４の制御を行わない。検知した音声が夫の音声であるか否かの判断については、夫の声紋データを記憶部１０２Ａに記憶させ、検知した音声を解析して得た声紋と、記憶されている声紋データが表す音声とが一致するか否かにより判断してもよい。本変形例によれば、端末装置１０Ａのユーザである夫がテレビを見ている場合には、発光部１０３やアクチュエータ１０４の制御が行われず、端末装置１０Ａが発光や伸縮を行わないため、夫はテレビ、ラジオの視聴を妨げられることがない。
【００６３】
本発明においては、端末装置１０は、予め定められたユーザの音声以外の音声を検知した場合、検知した音声を表すデータを解析装置２０へ送信してもよい。また、この構成の場合、解析装置２０は、端末装置１０Ａから送信されたデータが表す音声と、端末装置１０Ｂから送信されたデータが表す音声とが一致した場合、端末装置１０Ａおよび端末装置１０Ｂへ、互いに接続するように指示するメッセージを送信し、当該メッセージを受信した端末装置１０Ａと端末装置１０Ｂが接続するようにしてもよい。この構成によれば、例えば、端末装置１０Ａが設置してある部屋と端末装置１０Ｂが設置してある部屋で同じテレビ番組を視聴していた場合や同じラジオ番組を視聴していた場合、自動的に端末装置１０Ａと端末装置１０Ｂが接続する。
【００６４】
本発明においては、夫の住居に複数の端末装置１０を設置してもよく、妻と子供の住居に複数の端末装置１０を設置してもよい。例えば、夫の住居の玄関に端末装置１０Ｃを設置し、夫の住居のリビングに端末装置１０Ａを設置する。端末装置１０Ｃの人感センサが人間を検知した場合、端末装置１０Ｃの装置識別子と、端末装置１０Ｃの周囲にユーザがいることを表す情報が端末装置１０Ｃから端末装置１０Ｂへ送信される。端末装置１０Ｂは、端末装置１０Ｃの装置識別子と、ユーザが端末装置１０Ｃの周囲にいることを表す情報を取得すると、黄色で発光するように発光部１０３Ｂを制御する。また、夫が玄関からリビングへ移動し、端末装置１０Ａの人感センサが人間を検知した場合、端末装置１０Ａの装置識別子と、端末装置１０Ａの周囲にユーザがいることを表す情報が端末装置１０Ａから端末装置１０Ｂへ送信される。端末装置１０Ｂは、端末装置１０Ａの装置識別子と、ユーザが端末装置１０Ａの周囲にいることを表す情報を取得すると、白色で発光するように発光部１０３Ｂを制御する。本変形例によれば、妻と子供側においては、夫がどこにいるかを知ることができる。
【００６５】
本発明においては、端末装置１０Ａの周囲の状態と端末装置１０Ｂの周囲の状態が同様である場合、端末装置１０Ａと端末装置１０Ｂが特定の動作を行う構成であってもよい。例えば、端末装置１０Ａと端末装置１０Ｂは、音センサが出力した信号から生成した音声情報を解析装置２０へ送信する。解析装置２０は、端末装置１０Ａから送られた音声情報が表す音の音量と、端末装置１０Ｂから送られた音声情報が表す音の音量とを比較する。解析装置２０は、一方の端末装置１０から送られた音声情報が表す音の音量が他方の端末装置１０から送られた音声情報が表す音の音量から予め定められた範囲内にある場合、予め定められた制御情報を端末装置１０Ａと端末装置１０Ｂへ送信する。端末装置１０Ａと端末装置１０Ｂは、解析装置２０から送られた制御情報に基づいて発光部１０３とアクチュエータ１０４を制御する。端末装置１０Ａと端末装置１０Ｂは、解析装置２０から送られた同じ制御情報に基づいて動作するため、発光部１０３Ａと発光部１０３Ｂの動作は同じ動作となり、アクチュエータ１０４Ａとアクチュエータ１０４Ｂの動作は同じ動作となる。本変形例によれば、端末装置１０Ａの周囲と端末装置１０Ｂの周囲とが同様の音量である、即ち、端末装置１０Ａの周囲と端末装置１０Ｂの周囲とが同様の状態であると同じ動作となる。本変形例によれば、端末装置１０Ａの周囲と端末装置１０Ｂの周囲とが同様の状態であると端末装置１０Ａと端末装置１０Ｂが特定の動作を行うため、ユーザは、コミュニケーションをとる相手の周囲の状態が、自身の周囲の状態と同様であることを知ることができる。
【００６６】
なお、周囲の状態が同様であるとは音量が同様であることに限定されるものではない。例えば、端末装置１０は、照度センサが出力する信号に基づいて、照度センサが検知した照度を表す情報を解析装置２０へ送信する。解析装置２０は、端末装置１０Ａから送られた情報が表す照度と、端末装置１０Ｂから送られた情報が表す照度とを比較する。解析装置２０は、一方の端末装置１０から送られた情報が表す照度が他方の端末装置１０から送られた情報が表す照度から予め定められた範囲内にある場合、予め定められた制御情報を端末装置１０Ａと端末装置１０Ｂへ送信する。本変形例によれば、端末装置１０Ａの周囲と端末装置１０Ｂの周囲とが同様の照度である場合、即ち、端末装置１０Ａの周囲と端末装置１０Ｂの周囲とが同様の状態である場合、端末装置１０Ａの動作と端末装置１０Ｂの動作が同じ動作となる。
【００６７】
本発明においては、ユーザが予め定められた動作を行った場合、予め定められた動作を行ったユーザの周囲にある端末装置１０は、通信相手となる端末装置１０から装置の周囲の状況を表す情報を取得し、取得した情報に応じた動作を行う構成としてもよい。例えば、端末装置１０Ａは、センサ部１０８Ａの音センサから出力された信号が表す音がノックの音である場合、温度を要求するメッセージを端末装置１０Ｂへ送信する。端末装置１０Ｂは、端末装置１０Ａから送られたメッセージを取得すると、温度センサが検知した温度を表す温度情報を端末装置１０Ａへ送信する。温度情報は、本発明に係る状態情報の一例である。端末装置１０Ａは、端末装置１０Ｂから送られた温度情報を取得し、取得した温度情報に応じて発光部１０３Ａを制御する。例えば、取得した温度情報が１０℃未満である場合、発光部１０３が所定期間において青色で点滅するように制御し、取得した温度情報が１０℃以上２０℃未満である場合、発光部１０３が所定期間において緑色で点滅するように制御し、取得した温度情報が２０℃以上である場合、発光部１０３が所定期間においてオレンジ色で点滅するように制御する。本変形例によれば、ユーザは、コミュニケーションをとる相手の部屋の状況を知ることができる。なお、端末装置１０から装置の周囲の状況を表す情報は、温度に限定されるものではなく、音量、照度など他の情報であってもよい。
【００６８】
本発明においては、記憶部２０２において、装置識別子に対応付けて、当該装置識別子が表す端末装置１０のユーザのプロファイルを記憶するようにしてもよい。例えば、記憶部２０２において、端末装置１０Ａの装置識別子に対応付けて、照度の閾値を含むプロファイルを記憶させる。端末装置１０Ａは、装置識別子と、照度センサが検知した照度を表す情報を解析装置２０へ送信する。解析装置２０は、端末装置１０Ａから送られた装置識別子に対応付けられているプロファイルに含まれる照度と、端末装置１０Ａから送られた情報が表す照度とを比較する。解析装置２０は、端末装置１０Ａから送られた情報が表す照度が、プロファイルに含まれている照度から予め定められた照度以下である場合、解析装置２０から端末装置１０Ａへの装置識別子およびユーザ識別子の送信を行わない。この構成によれば、例えば、就寝して端末装置１０Ａが設置されている部屋の明るさが所定の照度以下（例えば夜に照明をつけていないときの照度以下）である場合、解析装置２０から端末装置１０Ａへ装置識別子およびユーザ識別子の送信が行われないため、端末装置１０Ｂの周囲で妻や子供が音声を発しても、端末装置１０Ａが動作しないこととなる。なお、記憶部１０２Ａにプロファイルを記憶し、照度センサが検知した照度がプロファイルに含まれている照度以下である場合、装置識別子と、ユーザが端末装置１０Ｂの周囲にいることを表す情報が端末装置１０Ｂから端末装置１０Ａへ送られても、制御部１０１Ａは、発光部１０３Ａおよびアクチュエータ１０４Ａを制御しない構成としてもよい。
【００６９】
本発明においては、端末装置１０は、ユーザの睡眠を検知し、ユーザの睡眠を検知した場合、消費電力を抑えるスリープモードへ移行するようにしてもよい。例えば、端末装置１０は、予め定められた期間、音センサが音を検知しなかった場合、ユーザがねむりに入ったと判断し、スリープモードへ移行してもよい。端末装置１０は、スリープモードへ移行した場合、例えば、通信部１０５への電力供給を遮断して消費電力を抑える。端末装置１０は、スリープモードの状態で音センサが音を検知した場合、スリープモードを解除して通信部１０５への電力供給を再開する。本変形例によれば、端末装置１０の消費電力を抑えることができる。
【００７０】
本発明においては、端末装置１０は、撮像素子を備え、ユーザを撮影する構成であってもよい。また、端末装置１０が撮像素子を備える構成にあっては、ユーザ識別子に対応付けてユーザの顔の画像（顔画像）を記憶部２０２に記憶させるようにしてもよい。本変形例においては、例えば、端末装置１０Ｂは、人間の顔を撮影すると、端末装置１０Ｂの装置識別子と、撮影された人間の顔画像を解析装置２０へ送信する。制御部２０１は、端末装置１０Ｂから送信された装置識別子に対応付けて記憶されている顔画像を取得する。通信部２０５が取得した端末装置１０Ｂの装置識別子には、端末装置１０Ｂのユーザである妻の顔画像と子供の顔画像が対応付けられているため、制御部２０１は、妻の顔画像と子供の顔画像を記憶部２０２から取得する。
【００７１】
制御部２０１は、取得した顔画像に対応するユーザを特定する。具体的には、制御部２０１は、通信部２０５が取得した顔画像と、記憶部２０２から取得した顔画像とを比較する。例えば、取得した顔画像が、予め記憶されている妻の顔画像と一致した場合、取得した顔画像に対応するユーザ、即ち、端末装置１０Ｂの周囲にいるユーザ（端末装置１０Ａのユーザの通信相手）は妻であると特定する。次に制御部２０１は、取得した顔画像と一致した顔画像に対応付けて記憶されている妻のユーザ識別子を記憶部２０２から取得する。制御部２０１は、通信部２０５が取得した装置識別子と、記憶部２０２から取得した妻のユーザ識別子の組を、通信部２０５を制御して送信する。端末装置１０Ａは、解析装置２０から送信された妻のユーザ識別子に対応付けて記憶されている第１の制御情報に基づいて発光部１０３Ａとアクチュエータ１０４Ａを制御する。これにより、発光部１０３Ａがピンク色で第１の周期で点滅し、筐体が第１の周期で伸縮するため、端末装置１０Ａのユーザは、端末装置１０Ｂの近くに妻がいることがわかる。
【００７２】
本発明においては、端末装置１０に近距離無線通信でアクセスした装置に基づいて、端末装置１０の周囲にいるユーザを特定するようにしてもよい。例えば、端末装置１０Ｂにおいて、妻のスマートフォンおよび子供のスマートフォンをBluetoothの通信によってペアリングさせる。端末装置１０Ｂは、ペアリング済みの妻のスマートフォンをBluetoothの通信によって検知した場合、装置識別子と妻のユーザ識別子を端末装置１０Ａへ送信する。端末装置１０Ａは、端末装置１０Ｂから送られたユーザ識別子に対応付けて記憶されている第１の制御情報に基づいて、発光部１０３Ａとアクチュエータ１０４Ａを制御する。これにより、発光部１０３Ａがピンク色で第１の周期で点滅し、筐体が第１の周期で伸縮するため、端末装置１０Ａのユーザは、端末装置１０Ｂの近くに妻がいることがわかる。
【００７３】
本発明においては、発光部１０３が点滅するときの色を通信相手の性別に応じた色としてもよい。例えば、解析装置２０において、ユーザ識別子に対応付けて性別を表す性別データを記憶し、ステップＳ８でユーザ識別子を解析装置２０から端末装置１０へ送信する際に、送信するユーザ識別子に対応付けて記憶されている性別データも端末装置１０へ送信する。性別データを取得した端末装置１０は、性別が男性を表す場合には寒色で点滅し、性別が女性を表す場合には暖色で点滅してもよい。
【００７４】
本発明においては、発光部１０３が点滅するときの色を通信相手の年齢に応じた色としてもよい。例えば、解析装置２０において、ユーザ識別子に対応付けて年齢を表す年齢データを記憶し、ステップＳ８でユーザ識別子を解析装置２０から端末装置１０へ送信する際に、送信するユーザ識別子に対応付けて記憶されている年齢データも端末装置１０へ送信する。年齢データを取得した端末装置１０は、予め年齢毎に設定されている色で点滅してもよい。
【００７５】
本発明においては、解析装置２０は、音声情報を解析して複数の声紋を特定した場合、特定した声紋の数を表す情報を端末装置１０へ送信し、端末装置１０は、解析装置２０から送信された数を表す情報に応じて発光部１０３、アクチュエータ１０４を制御してもよい。この変形例によれば、例えば、端末装置１０Ｂの周囲にいる人の人数に応じて端末装置１０Ａが動作し、端末装置１０Ａのユーザは、端末装置１０Ｂの周囲にいる人の人数を知ることができる。
【００７６】
上述した実施形態においては、端末装置１０は、制御情報に基づいて発光部１０３とアクチュエータ１０４を制御しているが、音声処理部１０７を制御し、制御情報に含まれている周期に基づいて所定の音をスピーカから出力するようにしてもよい。
【００７７】
上述した実施形態においては、センサ部１０８の音センサで音声を検知しているが、音声処理部１０７のマイクロフォンで音声を検知してもよい。
【００７８】
上述した機能ブロック（構成部）は、ハードウェアおよび／またはソフトウェアの任意の組み合わせによって実現される。また、各機能ブロックの実現手段は特に限定されない。すなわち、各機能ブロックは、物理的および／または論理的に結合した１つの装置により実現されてもよいし、物理的および／または論理的に分離した２つ以上の装置を直接的および／または間接的に（例えば、有線および／または無線）で接続し、これら複数の装置により実現されてもよい。例えば、本発明の一実施形態における端末装置１０は、本発明の処理を行うコンピュータとして機能してもよい。なお、本明細書においては、「装置」という文言は、回路、デバイス、ユニットなどに読み替えることができる。端末装置１０のハードウェア構成は、各装置を１つまたは複数含むように構成されてもよいし、一部の装置を含まずに構成されてもよい。
【００７９】
また、制御部１０１は、プログラム（プログラムコード）、ソフトウェアモジュールやデータを、記憶部１０２および／または通信部１０５からＲＡＭに読み出し、これらに従って各種の処理を実行する。また、制御部２０１は、プログラム（プログラムコード）、ソフトウェアモジュールやデータを、記憶部２０２および／または通信部２０５からＲＡＭに読み出し、これらに従って各種の処理を実行する。プログラムとしては、上述の実施の形態で説明した動作の少なくとも一部をコンピュータに実行させるプログラムが用いられる。例えば、制御部１０１は、ＲＡＭに格納され、ＣＰＵで動作する制御プログラムによって実現されてもよく、他の機能ブロックについても同様に実現されてもよく、制御部２０１は、ＲＡＭに格納され、ＣＰＵで動作する制御プログラムによって実現されてもよく、他の機能ブロックについても同様に実現されてもよい。上述の各種処理は、１つのＣＰＵで実行される旨を説明してきたが、２以上のプロセッサＣＰＵにより同時または逐次に実行されてもよい。制御部１０１は、１以上のチップで実装されてもよい。なお、プログラムは、電気通信回線を介してネットワークから送信されても良い。
【００８０】
ＲＡＭは、レジスタ、キャッシュ、メインメモリ（主記憶装置）などと呼ばれてもよい。ＲＡＭは、本発明の一実施形態に係る機能を実施するために実行可能なプログラム（プログラムコード）、ソフトウェアモジュールなどを保存することができる。
【００８１】
また、端末装置１０、解析装置２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部または全てが実現されてもよい。例えば、制御部１０１は、これらのハードウェアの少なくとも１つで実装されてもよい。
【００８２】
記憶部１０２、記憶部２０２は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。記憶部１０２、記憶部２０２は、補助記憶装置と呼ばれてもよい。
【００８３】
制御部１０１、制御部２０１が備えるメモリは、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。
【００８４】
通信部１０５、通信部２０５は、有線および／または無線ネットワークを介してコンピュータ間の通信を行うためのハードウェア（送受信デバイス）であり、例えばネットワークデバイス、ネットワークコントローラ、ネットワークカード、通信モジュールなどともいう。
【００８５】
端末装置１０の各部は、情報を通信するためのバスで接続されていてもよい。バスは、単一のバスで構成されてもよいし、装置間で異なるバスで構成されてもよい。
【００８６】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステムおよび／またはこれらに基づいて拡張された次世代システムに適用されてもよい。
【００８７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００８８】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００８９】
判定は、１ビットで表される値（０か１か）によって行われてもよいし、真偽値（Boolean：trueまたはfalse）によって行われてもよいし、数値の比較（例えば、所定の値との比較）によって行われてもよい。
【００９０】
プログラムは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９１】
また、プログラム、命令などは、伝送媒体を介して送受信されてもよい。例えば、ソフトウェアが、同軸ケーブル、光ファイバケーブル、ツイストペアおよびデジタル加入者回線（ＤＳＬ）などの有線技術および／または赤外線、無線およびマイクロ波などの無線技術を使用してウェブサイト、サーバ、または他のリモートソースから送信される場合、これらの有線技術および／または無線技術は、伝送媒体の定義内に含まれる。
【００９２】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。なお、本明細書で説明した用語および／または本明細書の理解に必要な用語については、同一のまたは類似する意味を有する用語と置き換えてもよい。例えば、信号はメッセージであってもよい。
【００９３】
本明細書で使用する「システム」および「ネットワーク」という用語は、互換的に使用される。
【００９４】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。上述したパラメータに使用する名称はいかなる点においても限定的なものではない。
【００９５】
端末装置１０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９６】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベースまたは別のデータ構造での探索）、確認（ascertaining）したことを「判断」「決定」したとみなすことなどを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）したことを「判断」「決定」したとみなすことなどを含み得る。また、「判断」、「決定」は、解決（resolving）、選択（selecting）、選定（choosing）、確立（establishing）、比較（comparing）などしたことを「判断」「決定」したとみなすことを含み得る。つまり、「判断」「決定」は、何らかの動作を「判断」「決定」したとみなすことを含み得る。
【００９７】
「接続された（connected）」、「結合された（coupled）」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的なものであっても、論理的なものであっても、あるいはこれらの組み合わせであってもよい。本明細書で使用する場合、２つの要素は、１またはそれ以上の電線、ケーブルおよび／またはプリント電気接続を使用することにより、並びにいくつかの非限定的かつ非包括的な例として、無線周波数領域、マイクロ波領域および光（可視および不可視の両方）領域の波長を有する電磁エネルギーなどの電磁エネルギーを使用することにより、互いに「接続」または「結合」されると考えることができる。
【００９８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９９】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１００】
「含む（ｉｎｃｌｕｄｉｎｇ）」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１０１】
本開示の全体において、例えば、英語でのa, an, およびtheのように、翻訳により冠詞が追加された場合、これらの冠詞は、文脈から明らかにそうではないことが示されていなければ、複数のものを含むものとする。
【０１０２】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０３】
以上、本発明について詳細に説明したが、当業者にとっては、本発明が本明細書中に説明した実施形態に限定されるものではないということは明らかである。本発明は、特許請求の範囲の記載により定まる本発明の趣旨および範囲を逸脱することなく修正および変更態様として実施することができる。したがって、本明細書の記載は、例示説明を目的とするものであり、本発明に対して何ら制限的な意味を有するものではない。
【符号の説明】
【０１０４】
１…通信システム、２…通信網、１０、１０Ａ、１０Ｂ…端末装置、２０…解析装置、１０１…制御部、１０２…記憶部、１０３…発光部、１０４…アクチュエータ、１０５…通信部、１０７…音声処理部、１０８…センサ部、２０１…制御部、２０２…記憶部、２０５…通信部、１００１…送信部、１００２…取得部、１００３…動作制御部、１００４…検知部、１００５…要求部、２００１…特定部、２００２…提供部。
【図１】
2018133661.tif 000003
【図２】
2018133661.tif 000004
【図３】
2018133661.tif 000005
【図４】
2018133661.tif 000006
【図５】
2018133661.tif 000007
【図６】
2018133661.tif 000008
【図７】
2018133661.tif 000009